(57)【要約】【課題】目地部分の構成の簡素化及び小型化を実現することができ、さらに確実に止水することができる目地部材を提供する。【解決手段】建築物１１のコンクリート２０の壁面の目地１２に応じた半円形の曲面を有する基材１６と、基材１６の曲面に沿って配置されたエチレン酢酸ビニル樹脂系シート１４とを備えた。【選択図】図１
2008150865.tif 000002
【特許請求の範囲】
【請求項１】
コンクリートの壁面の目地に配設される目地部材であって、
前記目地に応じた外形形状を有する基材と、
前記外形形状に沿って前記基材に配置されたエチレン酢酸ビニル樹脂系シートと、
を備えたことを特徴とする目地部材。
【請求項２】
前記エチレン酢酸ビニル樹脂系シートは、表面が起毛していることを特徴とする請求項１に記載の目地部材。
【請求項３】
前記基材は、セメント系材料であることを特徴とする請求項１又は２に記載の目地部材。
【請求項４】
前記基材は、
前記壁面と略同一平面を形成する端面を有し、当該端面に切欠部が形成されていることを特徴とする請求項１乃至３の何れかに記載の目地部材。
【請求項５】
前記切欠部は、
前記壁面に発生する引っ張り応力によって、前記エチレン酢酸ビニル樹脂系シートと前記コンクリートとの付着が剥がれるよりも前、且つ、前記エチレン酢酸ビニル樹脂系シートが破れるよりも前に、前記基材を破断させるものである、ことを特徴とする請求項４に記載の目地部材。
【請求項６】
前記切欠部に充填される充填材を有することを特徴とする請求項４又は５に記載の目地部材。
【請求項７】
コンクリートの壁と、
前記壁の壁面に凹設された目地と、
前記目地内部を覆うエチレン酢酸ビニル樹脂系シートと、
前記エチレン酢酸ビニル樹脂系シート上に配置され、前記壁面と略同一平面を形成する端面を有する基材と、
を備えたことを特徴とする建築物。
【請求項８】
前記壁面に発生する引っ張り応力によって、前記エチレン酢酸ビニル樹脂系シートと前記コンクリートとの付着が剥がれるよりも前、且つ、前記エチレン酢酸ビニル樹脂系シートが破れるよりも前に前記基材を破断させる切欠部が、当該基材の前記端面に形成されていることを特徴とする請求項７に記載の建築物。
【発明の詳細な説明】
【技術分野】
【０００１】
本発明は、目地部材、および建築物に関する。
【背景技術】
【０００２】
コンクリートは、セメントの水和熱や外気温などによる温度変化、乾燥収縮、予想外の外力といった変形を生じる様々な要因を抱えており、これらの要因により壁面にひび割れの生じる可能性がある。このひび割れが壁面にランダムに発生すると建築物の美観が損なわれてしまう。そこで、一般に、コンクリートの建築物には、壁面の特定位置に、ひび割れを誘発するための目地が凹設されている。  
また、コンクリートの建築物において、コンクリートの打継ぎ部（各階躯体の区切りとなる水平方向の打継ぎ部、あるいは各階での工区割りにおける鉛直方向の打継ぎ部）にも、打継ぎ用の目地が凹設されている。  
そして、これらの目地内部にシーリング材を充填することにより、コンクリートのひび割れや、打継ぎ部分への水分の浸入を防止している。
【０００３】
従来、目地の形成は、例えばコンクリート型枠に木製の棒（以下、目地棒と称する）を釘止めしておき、当該コンクリート型枠にコンクリートを打ち込んだ後、コンクリート型枠および目地棒を脱型していた。そして、形成された目地内部に、シーリング材を充填していた。  
しかし、この場合、目地棒の脱型やシーリング材の充填が必要であり、作業が煩雑になるという問題があった。例えば、目地内部にシーリング材を充填する作業は、高度の熟練を要し、美しい仕上げを達成するには手間ひまがかかるものであった。また、シーリング材は、例えば紫外線などによって劣化するので、定期的に取り替える必要があるという問題もあった。
【０００４】
そこで、例えば特許文献１では、脱型およびシーリング材の施工を不要とした目地部材が提案されている。図１３は、その目地部材を用いた建築物の目地構造を示す図である。  
図１３に示す建築物は、コンクリート３１０と、コンクリート３１０の壁面に凹設された目地３０５と、目地部材３００とを備えている。また、目地部材３００は、壁面下地材３０１、止水シート３０２、透水目地材３０３を有している。  
壁面下地材３０１は、コンクリート３１０に物性の近い材料で形成され、コンクリート３１０の壁面と略同一平面を形成するように配置されている。  
止水シート３０２は、壁面下地材３０１の裏面に固着されている。この止水シート３０２には、伸び率の高い非加硫ブチルゴムが使用されている。  
透水目地材３０５は、吸水力を伴う透水性を有するもの（例えば連続発泡体、無機繊維材など）であり、止水シート３０２に固定されるとともに、目地３０５に嵌合されている。  
この構成により、目地３０５の形成位置にコンクリート３１０のひび割れを誘発し、止水シート３０２および透水目地材３０３を組み合わせた止水機能によって、ひび割れへの水分の浸入を防止するようにしていた。
【特許文献１】特開２００５−６１１７８号公報
【発明の開示】
【発明が解決しようとする課題】
【０００５】
目地部材３００では、ひび割れの発生位置が目地３０５からずれることを考慮して、図１３に示すように、止水シート３０２を目地３０５よりも広い範囲に亘って配置している。このことにより、図１３に示すように目地部材３００の形状が複雑となり、形成する目地３０５の大きさに対して目地部材３００のサイズが大きくなるという問題があった。
【０００６】
また、この形状のため、例えば壁面下地材３０１とコンクリート３１０の境界部分にひび割れが発生する可能性があり、その場合、止水シート３０２および透水目地材３０５によって止水を行うことができないという問題があった。
【０００７】
さらに、止水シート３０２を構成する非加硫ブチルゴムは、コンクリート３１０に対して、剥離が生じないための十分な付着強度（例えば４ｋｇｆ/ｃｍ２）を有していない。このため、止水シート３０２がコンクリート３１０から剥がれる可能性があり、確実に止水を行うことができない虞があるという問題点があった。
【０００８】
本発明は、上記のような課題に鑑みてなされたものであって、その目的は、従来よりも目地部分の構成の簡素化及び小型化を実現でき、さらに確実に止水を行うことが可能な目地部材、および建築物を提供することにある。
【課題を解決するための手段】
【０００９】
かかる目的を達成するために、本発明の目地部材は、コンクリートの壁面の目地に配設される目地部材であって、前記目地に応じた外形形状を有する基材と、前記外形形状に沿って前記基材に配置されたエチレン酢酸ビニル樹脂系シートと、を備えたことを特徴とする。このような目地部材によれば、従来よりも目地部分の構成の簡素化及び小型化を実現でき、さらに確実に止水を行うことが可能である。
【００１０】
かかる目地部材において、前記エチレン酢酸ビニル樹脂系シートは、表面が起毛していることが望ましい。このような目地部材によれば、コンクリートのセメントの成分がエチレン酢酸ビニル樹脂系シートの起毛部分に浸込んで毛を掴んで固まるため、コンクリートとの付着強度及び密着性を高めることができ、より確実に止水を行うことが可能である。
【００１１】
また、かかる目地部材において、前記基材は、セメント系材料であることが望ましい。このような目地部材によれば、基材と前記エチレン酢酸ビニル樹脂系シートとの付着強度及び密着性を高めることが可能である。
【００１２】
また、かかる目地部材において、前記基材は、前記壁面と略同一平面を形成する端面を有し、当該端面に切欠部が形成されていることが望ましい。このような目地部材によれば、切欠部で基材を破断させることができ、これにより酢酸ビニル樹脂系シートをコンクリートとの付着を保ったまま、ひび割れに追随して変形させることが可能となる。
【００１３】
また、かかる目地部材において、前記切欠部は、前記壁面に発生する引っ張り応力によって、前記エチレン酢酸ビニル樹脂系シートと前記コンクリートとの付着が剥がれるよりも前、且つ、前記エチレン酢酸ビニル樹脂系シートが破れるよりも前に、前記基材を破断させるものであることが望ましい。このような目地部材によれば、より確実に止水を行うことが可能である。
【００１４】
さらに、かかる目地部材において、前記切欠部に充填される充填材を有していてもよい。このような目地部材によれば、壁面の目地の形状を塞ぐことが可能である。また、充填材に木製の棒を用いると、例えば釘止めによってコンクリート型枠に容易に且つ確実に固定することが可能となる。
【００１５】
また、かかる目的を達成するために、本発明の建築物は、コンクリートの壁と、前記壁の壁面に凹設された目地と、前記目地内を覆うエチレン酢酸ビニル樹脂系シートと、前記エチレン酢酸ビニル樹脂系シート上に配置され、前記壁面と略同一平面を形成する端面を有する基材と、を備えたことを特徴とする。このような建築物によれば、目地部分の構成を簡素に、且つ、小さくすることができ、また、ひび割れや打継ぎ部分の止水を確実に行うことが可能である。
【００１６】
また、かかる建築物において、前記壁面に発生する引っ張り応力によって、前記エチレン酢酸ビニル樹脂系シートと前記コンクリートとの付着が剥がれるよりも前、且つ、前記エチレン酢酸ビニル樹脂系シートが破れるよりも前に前記基材を破断させる切欠部が、当該基材の前記端面に形成されていることが好ましい。このような建築物によれば、エチレン酢酸ビニル樹脂系シートが破れたりコンクリートから剥がれたりすることを防止でき、より確実に止水を行うことが可能である。
【発明の効果】
【００１７】
本発明によれば、目地部分の構成の簡素化及び小型化を実現でき、さらに確実に止水を行うことが可能である。
【発明を実施するための最良の形態】
【００１８】
以下、本発明の一実施形態について図面に基づいて説明する。
【００１９】
＝＝＝第１の実施形態＝＝＝
図１は、目地部材１０′を備えた建築物１１を示す断面図である。図１に示す建築物１１は、コンクリート２０、目地１２、目地部分１０′を備えている。本実施形態では建築物１１は、打放しコンクリート仕上げであることとする。  
コンクリート２０は、建築物１１の躯体（壁など）を構成するものである。  
目地１２は、コンクリート２０の壁面に、例えば鉛直方向に沿って凹設されている。  
目地部分１０′は、目地１２の溝内部に配設されている。また、目地部分１０′は、目地１２内部を覆うエチレン酢酸ビニル樹脂系シート(以下、ＥＶＡシートと称する)１４、ＥＶＡシート１４上に配置され、コンクリート２０の壁面と略同一平面を構成する端面を有する基材１６、を有している。  
また、基材１６の端面には切欠部１７が形成されている。なお、目地部分１０′は後述する目地部材１０に基づいて形成されたものである。
【００２０】
≪目地部材の構成≫
図２は、本発明の第１の実施形態に係る目地部材１０の構成の一例を示す斜視図である。目地部材１０は、基材１６、ＥＶＡシート１４、棒部材１８（充填材）を備えている。
【００２１】
基材１６は、図１の目地１２に応じた形状（例えば半円形）の曲面（外形形状）と、建築物１１の壁面と略同一平面を形成する端面とを有している。また、基材１６の端面には、棒部材１８が埋設されている。基材１６としては、例えばポリマーセメントモルタルやモルタルなどのセメント系材料が好ましい。これらのセメント系材料は、ＥＶＡシート１４との付着強度、密着性が高く、また、目地形成後に脱型を行う必要がない。本実施形態では基材１６に、ポリマーセメントモルタルを適用することとする。  
棒部材１８は、例えば断面が台形の木製の目地棒である。なお、図１の目地部分１０′は、目地部材１０から、この棒部材１８が除去されることによって形成されたものである。  
ＥＶＡシート１４は、伸び率及び止水性に優れた止水材であり、基材１６の曲面に沿って配置されている。
【００２２】
図３は、ＥＶＡシート１４の構造を説明するための図である。図３に示すようにＥＶＡシート１４は、シート本体１４ａと、シート本体１４ａの表面に形成された起毛層１４ｂとを備えている。ＥＶＡシート１４に起毛層１４ｂが形成されていることによって、基材１６やコンクリート２０などのセメントの成分が起毛層１４ｂの間に浸込んで毛を掴んで固まるため、これらとの付着強度及び密着性が高まることになる。
【００２３】
表１は、ＥＶＡシート１４と、図１３の目地部材３００の止水シート３０２として使用される非加硫ブチルゴムとの物性を比較したものである。
【表１】
2008150865.tif 000003
【００２４】
なお、付着強度はコンクリート（あるいはモルタル）との付着強度を示している。表１よりＥＶＡシート１４の付着強度及びせん断強度は、非加硫ブチルゴムに比べて高いことがわかる。例えば表１より、非加硫ブチルゴムでは、付着強度が１ｋｇｆ/ｃｍ２であり、コンクリートとの剥離（浮き上がりを含む）が生じないために必要とされる強度（４ｋｇｆ/ｃｍ２）を満たしていない。一方、ＥＶＡシート１４では、付着強度が９ｋｇｆ/ｃｍ２であるので剥離が生じないことになる。
【００２５】
また、ＥＶＡシート１４の伸び率は５００％である。これは、非加硫ブチルゴムの伸び率よりは小さいが、コンクリート２０のひび割れに追従するのには十分な値である。ただし、この伸び率は図３における面内方向（Ａ方向）の伸び率であり、厚み方向（Ｂ方向）の伸び率は、この値とは異なる。
【００２６】
図４は、ＥＶＡシート１４における応力と厚み方向の伸び率の関係の一例を示した図である。図４より、前述した付着強度（９ｋｇｆ/ｃｍ２）の応力に対する厚み方向の伸び率は１０％を越える程度であることがわかる。例えば、図３においてＥＶＡシート１４の厚さが１ｍｍの場合、Ｂ方向に９ｋｇｆ/ｃｍ２の引っ張り応力を加えても、Ｂ方向には０．１ｍｍ程度しか伸びないことになる。つまり、図１に示す建築物１１の壁面の表層部分におけるＥＶＡシート１４の伸びが小さいことになり、ひび割れが発生すると、この部分でＥＶＡシート１４とコンクリート２０とが剥離したり、ＥＶＡシート１４が破れたりする可能性がある。
【００２７】
そこで、本実施形態の目地部材１０では基材１６に切欠部１７を設けている。この切欠部１７は、壁面の表層部のＥＶＡシート１４とコンクリート２０との付着が剥がれるよりも前、且つ、ＥＶＡシート１４が破れるよりも前に基材１６を破断させるべく形成されている。図１において切欠部１７で基材１６が破断すると、ＥＶＡシート１４が、破断した基材１６及びコンクリート２０との付着を保ったまま、ひび割れに追従することができるようになる。従って、ＥＶＡシート１４によって確実に止水を行うことが可能となる。
【００２８】
≪目地部材の形成方法≫
図５（ａ）〜（ｃ）は、目地部材１０の形成方法の一例を示す図である。まず、図５（ａ）に示すように、断面が半円形状の金型３０の内面に沿ってＥＶＡシート１４を配置する。また、同図に示すように、棒部材１８を治具（不図示）等によってＥＶＡシートの上方に保持しておく。そして、図５（ｂ）に示すように、棒部材１８とＥＶＡシート１４との間にポリマーセメントモルタルを流し込む。ポリマーセメントモルタルが固まった後（基材１６の形成後）、図５（ｃ）に示すように金型３０を除去する。
【００２９】
このように、目地部材１０は容易に形成することができる。また、目地部材１０は、この方法以外によっても形成することが可能である。例えば金型３０にＥＶＡシート１４を配置した後、ＥＶＡシート１４内に所定量のポリマーセメントモルタルを流し込み、ポリマーセメントモルタルが固化する前に棒部材１８をその上方から押し込むようにしてもよい。
【００３０】
≪建築物の施工方法≫
図６（ａ）〜（ｃ）は、目地部材１０を用いた建築物１１の施工方法の一例を説明するための図である。  
まず、図６（ａ）に示すように、コンクリート型枠２２におけるコンクリート打込み側の所定位置に、目地部材１０を固定する。この固定は、コンクリート型枠２２と棒部材１８とを、例えば釘止めすることにより行うことができる。  
そして、図６（ｂ）に示すように、コンクリート型枠２２内にコンクリート２０を打込む。  
コンクリート２０が固まった後、コンクリート型枠２２、および棒部材１８の脱型を行う。こうすることにより、図６（ｃ）に示すように、目地１２、及び目地部分１０′を備えた建築物１１が形成される。なお、木製の棒部材１８と、ポリマーセメントモルタルの基材１６との付着強度は弱く（例えば1ｋｇｆ/ｃｍ２）、棒部材１８は基材１６から容易に脱型することが可能である。
【００３１】
≪他の適用例≫
図７は、目地部材１０の他の適用例を示す図である。図７に示す建築物１１′は、コンクリート２０、目地部分１０′、鉄筋４０、無収縮モルタル５０、塩化ビニルパイプ５２を備えている。  
鉄筋４０は、横筋４０ａと縦筋４０ｂとによって格子状に形成されたものであり、建築物１１′の内部に間隔を隔てて配筋されている。  
塩化ビニルパイプ５２は、コンクリート２０との界面付着がほとんどないパイプであり、鉄筋４０の間に挟まれて埋設されている。  
無収縮モルタル５０は、塩化ビニルパイプ５２内に充填されている。  
以上の構成により、塩化ビニルパイプ５２と、目地部材１０′との間のコンクリート２０の厚さが、その周辺と比べて薄くなっているため、建築物１１′に発生するひび割れ２１を、塩化ビニルパイプ５２と、目地部材１０′との間に確実に誘発することが可能となる。  
従って、ＥＶＡシート１４によって、コンクリート２０のひび割れ２１への水分の浸入を確実に止水することができ、鉄筋４０の発錆や劣化を防止することができる。
【００３２】
＝＝＝第２の実施形態＝＝＝
図８は、本発明の第２の実施形態に係る目地部材１００の一例を示す斜視図である。図８において、図２と同一構成の部分には同一符号を付し説明を省略する。  
図８に示す目地部材１００は、ＥＶＡシート１４、基材１６ａを備えている。また、基材１６ａは、例えば半円形状の曲面と、壁面と略同一平面を形成する端面とを有している。そして、その端面には線状の切欠部１９が形成されている。
【００３３】
目地部材１００は、例えば第１の実施形態と同様の金型３０の内面にＥＶＡシート１４を配置し、そこにポリマーセメントモルタルを流し込んで固めた後、その端面に切欠部１９を形成することにより得られる。なお、切欠部１９は、例えばカッターなどを用いてポリマーセメントモルタルを切除することで形成することができる。この切欠部１９も、前述した切欠部１７と同様、壁面の表層部のＥＶＡシート１４とコンクリート２０との付着が剥がれるよりも前、且つ、ＥＶＡシート１４が破れるよりも前に基材１６ａを破断させるべく適宜の大きさ（深さ）に設けられている。
【００３４】
本実施形態では切欠部１９内は空洞であることとするが、切欠部１９に、例えば低強度モルタル、樹脂、塩化ビニル（充填材）などを充填するようにしてもよい。こうすることにより、切欠部１９の空洞の形状を塞ぐことが可能である。
【００３５】
図９（ａ）〜（ｄ）は、目地部材１００を用いた建築物１１０の施工方法の一例を示す図である。なお、建築物１１０は、下地モルタル付きのタイル張りコンクリートであることとする。
【００３６】
まず、目地部材１００の基材１６ａの端面に、例えば両面テープ（不図示）の一方の面を貼着する。そして、当該両面テープの他方の面を、コンクリート型枠２２の所定位置に貼着する。こうして図９（ａ）に示すように、コンクリート型枠２２と目地部材１００を固定する。  
この状態で、図９（ｂ）に示すように、コンクリート型枠２２内にコンクリート２０を打込む。  
コンクリート２０が固まった後、図９（ｃ）に示すように、コンクリート型枠２２の脱型を行い、さらに両面テープを目地部材１００から除去する。
【００３７】
この後、タイル張り仕上げの周知の施工方法により、図９（ｄ）に示すように、下地モルタル３２、張付けモルタル３４、タイル３６、バックアップ材３８、弾性シーリング材３９をそれぞれ形成する。張付けモルタル３４は、下地モルタル３２とタイル３６との接着を行うものであり、また、バックアップ材３８はクッション性を有するものである。なお、バックアップ材３８は切欠部１９には入り込まず、切欠部１９は空洞のままとなっている。本実施形態では弾性シーリング材３９を設けるようにしているが、ひび割れへの水分の浸入はＥＶＡシート１４によって確実に止水することが可能であるので、弾性シーリング材３９を設けないようにしてもよい。
【００３８】
このように目地部材１００では、カッターなどによって線状の切欠部１９を形成しているで、より簡素な構成とすることができ、また基材１６ａの端面側の面積をさらに小さくすることができる。また、切欠部１９の位置で必ず基材１６ａを破断させることが可能になり、ＥＶＡシート１４が、破断した基材１６ａ及びコンクリート２０との付着を保ったままひび割れに追従できるようになるので、ひび割れへの水分の浸入を確実に止水することができる。
【００３９】
＝＝＝第３の実施形態＝＝＝
前述した目地部材１０、１００では、それぞれ切欠部１７、１９を設けることにより、コンクリート２０にひび割れが生じた場合に、基材１６、１６ａが破断しやすくなるようにしたが、ひび割れを誘発する目的以外（例えばコンクリートの水平打継ぎ部）の場合には切欠部１７、１９を設けなくてもよい。
【００４０】
図１０は、本発明の第３の実施形態に係る目地部材２００の一例を示す斜視図である。図１０において、図２と同一構成の部分には同一符号を付し説明を省略する。  
図１０に示す目地部材２００は、基材１６ｂ、ＥＶＡシート１４、ボルト２４を備えている。  
基材１６ｂの端面には、ボルト２４が所定間隔で複数配置されている。ボルト２４は、耐腐食性の材料（例えば、ステンレスやプラスチック）で形成されており、その頭部側は基材１６内に埋設され、雄螺子部側は基材１６ｂの端面から突出している。
【００４１】
図１１（ａ）〜（ｄ）は、本発明の第３の実施形態に係る目地部材２００の形成方法の一例を示す図である。  
先ず、図１１（ａ）に示すように、断面が半円形状の金型３０の内面に沿ってＥＶＡシート１４を配置する。そして、図１１（ｂ）に示すように、例えば治具（不図示）等を用いて、ボルト２４の頭部側をＥＶＡシート１４の内側に保持する。このとき、同図に示す距離ａは、後述するコンクリート型枠２３の厚さよりも十分大きくなるようにしておく。そして、図１１（ｃ）に示すように、金型３０内のＥＶＡシート１４上にポリマーセメントモルタルを流し込み基材１６ｂを形成する。そして、ポリマーセメントモルタルが固まった後、図５（ｄ）に示すように金型３０を除去する。
【００４２】
図１２（ａ）〜（ｄ）は、目地部材２００を用いた建築物２１０の水平打継ぎ部の施工方法の一例を説明するための断面図である。なお、コンクリート型枠２３には、目地部材２００のボルト２４に対応する位置に、ボルト２４の雄螺子部を通すための開口が形成されていることとする。
【００４３】
先ず図１２（ａ）に示すように、目地部材２００から突出したボルト２４の雄螺子部を、コンクリート型枠２３の開口を介して、コンクリート型枠２３の外側で、当該雄螺子部と螺合する雌螺子部を有するナット２６によって締め付ける。このようにして、目地部材２００をコンクリート型枠２３に固定しておく。そして、下階部分のコンクリート２０ａの打込みを行う。この打込みによりＥＶＡシート１４とコンクリート２０ａの界面に目地１２ａが形成される。
【００４４】
コンクリート２０ａが固まった後、図１２（ｂ）に示すように、上階部分のコンクリート２０ｂの打込みを行う。この打込みによりＥＶＡシート１４とコンクリート２０ｂの界面に目地１２ｂが形成される。
【００４５】
そして、コンクリート２０ｂが固まった後、図１２（ｃ）に示すように、ナット２６をボルト２４の雄螺子部から取り外し、さらにコンクリート型枠２３を脱型する。最後に、図１２（ｄ）に示すように、基材１６ｂから突出したボルト２４の雄螺子部分をサンダー等で切断し、ボルト２４′とする。
【００４６】
このようにして、建築物２１０の水平方向の打継ぎ部分に目地１２ａ、１２ｂを形成することができる。そして、ＥＶＡシート１４によって、コンクリート２０ａとコンクリート２０ｂとの打継ぎ部への水分の浸入を確実に止水することができる。なお、本実施形態では、目地部材２００に配設したボルト２４と、ナット２６を用いることによって目地部材２００をコンクリート型枠２３に固定することとしたが、固定方法はこれに限定されない。例えば前述した第２の実施形態と同様に両面テープを使用して固定するようにしてもよい。その場合、目地部材２００にボルト２４を設ける必要が無くなり、目地部材２００をさらに簡素な構成とすることができる。
【００４７】
以上説明したように、本発明によれば、目地１２に応じた外形形状を有する基材１６と、その外形形状に沿って配置されたＥＶＡシート１４という簡素な構成により、目地１２と同じサイズの目地部分１０′を形成することができる。ＥＶＡシート１４は、面内方向の伸び率が５００％と高く、また、コンクリート２０との付着強度および密着性が高いので、ひび割れや打継ぎ部の止水を確実に行うことができる。
【００４８】
上記実施形態においては、基材１６、１６ａ、１６ｂの曲面部分を半円形状としたが、これには限定されない。例えば半楕円形状やＵ字状などの形状に形成してもよい。また、例えば台形の金型を用いて、基材の断面が台形となるようにしてもよい。
【００４９】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５０】
【図１】本発明の第１の実施形態に係る目地部材を適用した建築物を示す断面図である。
【図２】本発明の第１の実施形態に係る目地部材の構成の一例を示す斜視図である。
【図３】ＥＶＡシートの構造を説明するための図である。
【図４】ＥＶＡシートにおける応力と厚み方向の伸び率の関係を示した図である。
【図５】本発明の第１の実施形態に係る目地部材の形成方法を示す図である。
【図６】本発明の第１の実施形態に係る目地部材を用いた建築物の施工方法を説明するための図である。
【図７】本発明の第１の実施形態に係る目地部材の他の適用例を示す図である。
【図８】本発明の第２の実施形態に係る目地部材の構成の一例を示す斜視図である。
【図９】本発明の第２の実施形態に係る目地部材を用いた建築物の施工方法を説明するための図である。
【図１０】本発明の第３の実施形態に係る目地部材の構成を示す斜視図である。
【図１１】本発明の第３の実施形態に係る目地部材の形成方法を示す図である。
【図１２】本発明の第３の実施形態に係る目地部材を用いた建築物の水平打継ぎ部の施工方法を説明するための断面図である。
【図１３】従来の目地部材を用いた目地構造を示す図である。
【符号の説明】
【００５１】
１０、１００、２００  目地部材（本発明）
１０′  目地部分
１１、１１０、２１０  建築物
１２、１２ａ、１２ｂ、３０５  目地
１４  ＥＶＡシート
１４ａ  シート本体
１４ｂ  起毛層
１６、１６ａ、１６ｂ  基材
１７、１９  切欠部
１８  棒部材
２０、３１０  コンクリート
２１  ひび割れ
２２、２３  コンクリート型枠
２４  ボルト
２６  ナット
３０  金型
３２  下地モルタル
３４  張付けモルタル
３６  タイル
３８  バックアップ材
３９  弾性シーリング材
４０  鉄筋
４０ａ  横筋
４０ｂ  縦筋
５０  無収縮モルタル
５２  塩化ビニルパイプ
３００  目地部材（従来）
３０１  壁面下地材
３０２  止水シート
３０３  透水目地材
【図１】
2008150865.tif 000004
【図２】
2008150865.tif 000005
【図３】
2008150865.tif 000006
【図４】
2008150865.tif 000007
【図５】
2008150865.tif 000008
【図６】
2008150865.tif 000009
【図７】
2008150865.tif 000010
【図８】
2008150865.tif 000011
【図９】
2008150865.tif 000012
【図１０】
2008150865.tif 000013
【図１１】
2008150865.tif 000014
【図１２】
2008150865.tif 000015
【図１３】
2008150865.tif 000016